(57)【特許請求の範囲】
【請求項１】
天井支持材に固定され、下面中央に長手方向を向くスリットが形成されるとともに、前記スリットを挿通する吊支ボルトにより間仕切パネルを吊支したランナが内部を走行するようにしたレールにおける前記スリットの開口縁部に垂下片を設けるとともに、該垂下片の下端に外向きのフランジを設け、該フランジに天井見切材を取り付けた移動間仕切装置において、
前記天井見切材に、上方に向かって開口して、前記フランジに下方より嵌合する嵌合部と、前記フランジの上面に係合する係止手段とを設け、該係止手段と嵌合部とにより、前記フランジを上下から挟むようにしたことを特徴とする移動間仕切装置における天井見切材の取付構造。
【請求項２】
係止手段が、天井見切材の上面よりレール側に傾くようにして立設された傾斜片と、該傾斜片にその傾斜面と直交するように設けられたねじ孔に螺合し、先端がフランジの上面に当接するようにした締付けねじとを備えている請求項１記載の移動間仕切装置における天井見切材の取付構造。
【請求項３】
フランジの上面に、一方の側面が垂下片の外側面に当接し、かつ他方の側面が傾斜片に当接するスペーサを設けた請求項２記載の移動間仕切装置における天井見切材の取付構造。
【請求項４】
天井見切材の上方に、天井パネルの縁部を配設した請求項１〜３のいずれかに記載の移動間仕切装置における天井見切材の取付構造。
【請求項５】
天井見切材の下面に、間仕切パネルの上端部に上下動可能として設けたシール材が圧接するようにした請求項１〜４のいずれかに記載の移動間仕切装置における天井見切材の取付構造。
【発明の詳細な説明】
【０００１】
【発明の属する技術分野】
本発明は、大ホールや大部屋を移動式の間仕切パネルによって仕切る移動間仕切装置において、間仕切パネルを案内するレールに、天井パネルの境界部分を飾る天井見切材を取り付ける取付構造に関する。
【０００２】
【従来の技術】
この種の移動間仕切装置におけるレールは、天井パネルとともに天井支持材より吊支され、レールの下端には、レールと天井パネルとの境界部分を体裁良く飾るとともに、間仕切パネルの上端部に上下動可能として設けられたシール材が圧接するようにした天井見切材が取り付けられることが多い。
【０００３】
間仕切パネルの厚さは、要求される遮音性能その他の条件により、種々のものが提供されており、それに合わせるため、天井見切材も、幅等が異なる種々のものが提供されている。
【０００４】
従来、このような天井見切材は、間仕切パネルの厚さ等に適合するものを選んで、レールの下面にねじ止めして取り付けられている。
【０００５】
【発明が解決しようとする課題】
上述のような従来の天井見切材の取付け構造では、作業者は、上方を向いてねじ止め作業をしなければならないため、作業性及び作業効率が悪く、しかも、天井見切材の下面にねじの頭部が露呈し、体裁が悪い等の問題がある。
【０００６】
本発明は、従来の技術が有する上記のような問題点に鑑み、天井見切材を、楽な姿勢で、レールの下端部に取り付けることができ、作業性及び作業効率の向上を図ることができるとともに、ねじの頭部等が露呈したりすることがなく、美麗な外観とすることができ、しかも構造が簡単で、容易に着脱し得るようにした移動間仕切装置における天井見切材の取付構造を提供することを目的としている。
【０００７】
【課題を解決するための手段】
本発明によると、上記課題は、次のようにして解決される。
(１) 天井支持材に固定され、下面中央に長手方向を向くスリットが形成されるとともに、前記スリットを挿通する吊支ボルトにより間仕切パネルを吊支したランナが内部を走行するようにしたレールにおける前記スリットの開口縁部に垂下片を設けるとともに、該垂下片の下端に外向きのフランジを設け、該フランジに天井見切材を取り付けた移動間仕切装置において、前記天井見切材に、上方に向かって開口して、前記フランジに下方より嵌合する嵌合部と、前記フランジの上面に係合する係止手段とを設け、該係止手段と嵌合部とにより、前記フランジを上下から挟むようにする。
【０００８】
(２) 上記(１)項において、係止手段が、天井見切材の上面よりレール側に傾くようにして立設された傾斜片と、該傾斜片にその傾斜面と直交するように設けられたねじ孔に螺合し、先端がフランジの上面に当接するようにした締付けねじとを備えるものとする。
【０００９】
(３) 上記(２)項において、フランジの上面に、一方の側面が垂下片の外側面に当接し、かつ他方の側面が傾斜片に当接するスペーサを設ける。
【００１０】
(４) 上記(１)〜(３)項のいずれかにおいて、天井見切材の上方に、天井パネルの縁部を配設する。
【００１１】
(５) 上記(１)〜(４)項のいずれかにおいて、天井見切材の下面に、間仕切パネルの上端部に上下動可能として設けたシール材が圧接するようにする。
【００１２】
【発明の実施の形態】
図１及び図２は、本発明の第１の実施形態を備える移動間仕切装置の要部を示す。
【００１３】
移動式の間仕切パネル(Ｐ)を案内するレール(１)は、下面中央に長手方向を向くスリット(２)が形成されたほぼ角管状をなし、図示を省略した建築物のスラブ等の天井支持材に、直接または吊支杆を介して間接的に取り付けられ、スリット(２)を挿通する吊支ボルト(３)により間仕切パネル(Ｐ)を吊支したランナ(４)が内部を自由に走行しうるようになっている。
【００１４】
前後方向を向くレール(１)におけるスリット(２)の開口両縁部には、左右１対の垂下片(５)(５)が連設され、両垂下片(５)(５)の下端には、外向きのほぼ水平のフランジ(６)(６)が連設されている。
【００１５】
左右１対の天井見切材(７)(７)は、レール(１)とともに天井支持材に吊支された天井パネル(８)とレール(１)との境界部分を体裁良く飾るとともに、間仕切パネル(Ｐ)の上端部に上下動可能として設けられたシール材(９)が下面に圧接するようにしたもので、上方に向かって開口して、上記フランジ(６)に下方より嵌合する上向きコ字状の嵌合部(10)と、フランジ(６)の上面に係合する係止手段(11)と、嵌合部(10)より外側方に延出して、外端部が上向き折曲され、その上端が天井パネル(８)の下面に当接または近接するようにした延出部(12)とからなっている。
【００１６】
嵌合部(10)は、フランジ(６)の下面及び両側面と補形をなす形状とするのがよい。
【００１７】
係止手段(11)は、延出部(12)の嵌合部(10)寄りの上面より垂下片(５)側に傾くようにして立設された傾斜片(13)と、この傾斜片(13)の上部に、その傾斜面と直交するように設けられたねじ孔(14)に螺合し、先端がフランジ(６)の上面に当接するようにした締付けねじ(15)とを備えている。
【００１８】
したがって、レール(１)を天井支持材に固定した後、天井見切材(７)の嵌合部(10)を各フランジ(６)に下方より嵌合し、次いで、傾斜片(13)のねじ孔(14)に螺合させた締付けねじ(15)を締付け、その先端をフランジ(６)の上面に当接させることにより、係止手段(11)と嵌合部(10)とにより、フランジ(６)を上下から挟むようにして、天井見切材(７)を各フランジ(６)に、楽な姿勢で、簡単に取り付けることができる。
【００１９】
その後、天井パネル(８)を、その側端が図１に示すように、垂下片(５)に当接するか、または近接し、かつ側端部下面が天井見切材(７)の延出部(12)の外端部の上端に当接するかまたは近接するようにして、適宜の吊支杆(図示略)をもって吊支する。
【００２０】
第１の実施形態においては、天井見切材(７)を、３枚の鋼板を適宜折曲して、適所を溶接することにより形成しているが、図３に示す第２の実施形態においては、天井見切材(20)を、アルミニウム軽合金の引き抜き材により形成してある。
【００２１】
この天井見切材(20)は、中央の中空の角管部(21)の一側部に、上向きコ字状の嵌合部(22)を連設し、他側部に、嵌合部(22)より深さの深い上向きコ字状の延出部(23)を連設し、かつ角管部(21)の上面に、垂下片(５)側に傾斜する傾斜片(24)を立設し、傾斜片(24)に設けたねじ孔(25)に、締付けねじ(26)を螺合するようにしている。
【００２２】
その他の構成は、図１に示す第１の実施形態と同一であり、それらについては、同一部材を同一の符号をもって図示するに止め、詳細な説明は省略する。なお、図４に示す第３の実施形態についても同様とする。
【００２３】
第２の実施形態によると、天井見切材(20)を、軽量かつ強固なものとすることができるとともに、美麗な外観を呈することができ、しかも安価に製造することができる。
【００２４】
図４は、本発明の第３の実施形態を示す。
第３の実施形態においては、第１の実施形態と同一の構成における各フランジ(６)上に、前後に並ぶ複数の締付けねじ(15)(15)の間隔より短い長さの上向きコ字状のスペーサ(30)を、その一方の側面が垂下片(５)の外側面に当接し、かつ他方の側面が傾斜片(13)に当接するようにして配設してある。
【００２５】
各垂下片(５)の外側面には、スペーサ(30)の一方の側片(31)の上端部に係合する下向きＬ字状の係合片(32)が設けられ、スペーサ(30)が、天井見切材(７)の装着前にレール(１)から脱落するのを防止しうるようにしている。
なお、スペーサ(30)を、図２の斜視図中にも想像線で示してある。
【００２６】
第３の実施形態によると、スペーサ(30)を設けたことにより、傾斜片(13)のがたつき、ひいては天井見切材(７)の左右方向のがたつきを防止することができる。
【００２７】
【発明の効果】
請求項１記載の発明によると、天井見切材の嵌合部をフランジに下方より嵌合した後、係止手段をフランジの上面に係止させることにより、天井見切材を、楽な姿勢で簡単にレールに装着することができ、作業性及び作業効率を向上させることができる。
【００２８】
また、係止手段は天井見切材の上方に位置するので、それが下方に露呈することはなく、またねじ止めする際のように、ねじの頭部が室内に露呈することもなく、美麗な外観を呈することができる。
しかも、構造が簡単で、容易に着脱することができる。
【００２９】
請求項２記載の発明によると、締付けねじが傾斜しているので、フランジの上面に締付け力を付与することができるとともに、締付けねじを側方からねじ込むことができ、作業性を向上させることができる。
【００３０】
請求項３記載の発明によると、傾斜片のがたつき、ひいてはレールに対する天井見切材のがたつきを防止することができる。
【００３１】
請求項４記載の発明によると、天井パネルとレールとの境界部を美麗に保つことができる。
【００３２】
請求項５記載の発明によると、間仕切パネル側のシール材との密接性を高め、仕切られる部屋の遮音性を向上させることができるとともに、シール材の当接部の美観を高めることができる。
【図面の簡単な説明】
【図１】本発明の第１の実施形態を備える移動間仕切装置の要部の縦断正面図である。
【図２】同じく、要部拡大斜視図である。
【図３】本発明の第２の実施形態を備える移動間仕切装置の要部の縦断正面図である。
【図４】本発明の第３の実施形態を備える移動間仕切装置の要部の縦断正面図である。
【符号の説明】
(Ｐ)間仕切パネル
(１)レール
(２)スリット
(３)吊支ボルト
(４)ランナ
(５)垂下片
(６)フランジ
(７)天井見切材
(８)天井パネル
(９)シール材
(10)嵌合部
(11)係止手段
(12)延出部
(13)傾斜片
(14)ねじ孔
(15)締付けねじ
(20)天井見切材
(21)角管部
(22)嵌合部
(23)延出部
(24)傾斜片
(25)ねじ孔
(26)締付けねじ
(30)スペーサ
(31)側片
(32)係合片
【図１】
0004418091.tif 000002
【図２】
0004418091.tif 000003
【図３】
0004418091.tif 000004
【図４】
0004418091.tif 000005